(57)【特許請求の範囲】
【請求項１】
特定の範囲に対する進入車両を感知して、感知信号を無線通信機に送信する進入車両通報装置において、
前記特定の範囲に複数の異なる周波数の超音波を交互に送信する送信手段と、
前記送信手段により送信された超音波に対応する反射波を受信する受信手段と、
前記進入車両を感知する感知距離を車線幅に応じて設定する感知距離設定手段と、
前記感知距離に応じて前記受信手段のゲート長を設定するゲート長設定手段と、
前記特定の範囲に前記進入車両がいない場合の反射波の標準偏差に所定の定数を足した値を感知閾値とし、前記受信手段により受信された反射波が前記感知閾値以上である場合に前記進入車両が有ると判別する判別手段と、
前記判別手段により前記進入車両が有りと判別された際に、車両感知信号を前記無線通信機に送信する感知信号送信手段と、
を備えることを特徴とする進入車両通報装置。
【発明の詳細な説明】
【０００１】
【発明の属する技術分野】
本発明は、進入車両通報装置に係り、詳細には、超音波により感知した進入車両を通報する進入車両通報装置に関する。
【０００２】
【従来の技術】
近年、道路の老朽化や欠陥等を補修するため、高速道路や一般道路の点検、及び工事等の作業回数が増加しつつある。
【０００３】
上述した点検、及び工事等の作業は、道路上で行われるため、車線をパイロン（カラーコーン）等を用いて規制したり、「工事中」、或いは「車線減少」等を示す看板を道路脇の複数地点に設置することにより、車やバイク等のドライバーに対して、点検、及び工事等の作業中であることを報知している。
【０００４】
しかしながら、道路上での作業中に、車線を規制しているにもかかわらず居眠り運転等で一般車両が規制車線に進入してしまう事態が増加している。
【０００５】
そこで、従来は、マット方式、或いは衝撃センサ方式等を用いた車両感知機器により車両を感知し、車両を感知した際に、サイレン、回転灯等により現場作業員に車両の進入を報知していた。
【０００６】
ここで、マット方式では、道路上にマットを敷き、このマットの上面と下面とに埋め込まれた導体が、車両の通過時に接触して導通する原理で車両を感知する。
【０００７】
また、衝撃センサ方式では、パイロン（カラーコーン）の先端上部に衝撃センサが埋め込まれており、この衝撃センサにより車両がパイロンに衝突した衝撃を感知する。
【０００８】
【発明が解決しようとする課題】
しかしながら、マット方式を用いた車両感知機器は、道路上にマットを敷くため、通過車両がブレーキを掛けた場合に、マットがタイヤに巻き込まれる可能性があった。また、マット方式は、マットの設置に時間が掛かり、面倒であった。
【０００９】
また、衝撃センサ方式を用いた車両感知機器は、風圧、振動による誤感知が多く、更にパイロン内に衝撃センサを取り付けるため、進入車両を感知する毎にセンサ部が破損するため、センサ部の交換が必要であった。
【００１０】
更に、車両の進入を報知する際には、マット方式、及び衝撃センサ方式の何れも、センサ、サイレン、回転灯間の配線が必要であるため、設置に時間が掛かるという問題があった。
【００１１】
本発明の課題は、風圧、振動による誤感知を減らして感知性能を向上し、更に保守性を高めた進入車両通報装置を提供することである。
【００１２】
【課題を解決するための手段】
本発明は、このような課題を達成するために、次のような特徴を備えている。なお、次に示す手段の説明中、括弧書きにより実施の形態に対応する構成を１例として例示する。符号等は、後述する図面参照符号等である。
【００１３】
請求項１記載の発明は、
特定の範囲に対する進入車両を感知して、感知信号を無線通信機（例えば、図１に示す無線通信機２）に送信する進入車両通報装置（例えば、図１に示す進入車両通報装置１）において、
前記特定の範囲に複数の異なる周波数の超音波を交互に送信する送信手段（例えば、図２に示す超音波送信回路１３，送波器１４）と、
前記送信手段により送信された超音波に対応する反射波を受信する受信手段（例えば、図２に示す超音波受信回路１５，受波器１６）と、
前記進入車両を感知する感知距離を車線幅に応じて設定する感知距離設定手段と、
前記感知距離に応じて前記受信手段のゲート長を設定するゲート長設定手段と、
前記特定の範囲に前記進入車両がいない場合の反射波の標準偏差に所定の定数を足した値を感知閾値とし、前記受信手段により受信された反射波が前記感知閾値以上である場合に前記進入車両が有ると判別する判別手段（例えば、図２に示すＣＰＵ１１）と、
前記判別手段により前記進入車両が有りと判別された際に、車両感知信号を前記無線通信機に送信する感知信号送信手段（例えば、図２に示す感知信号出力回路１７）と、
を備えることを特徴としている。
【００１４】
この請求項１記載の発明の進入車両通報装置によれば、送信手段と、受信手段と、判別手段と、感知信号送信手段とを備えることにより、超音波を特定の範囲に送信し、送信した超音波に対応する反射波を受信し、受信した反射波に基づいて進入車両の有無を判別することができ、進入車両が有りと判別された際に車両感知信号を無線通信機に送信することができるので、進入車両の有無を容易に判別できる。また、進入車両を非接触で感知できるので、保守性が向上する。また、無線で進入車両の感知信号を通報できるので、ケーブルを使う必要がなく、便利である。
【００１５】
【発明の実施の形態】
以下、図１〜図４を参照して本発明を適用した進入車両通報装置１の実施の形態を詳細に説明する。
【００１６】
まず構成を説明する。
【００１７】
図１は、進入車両通報装置１を工事等の作業現場に設置した例を示す図である。図１において、進入車両通報装置１は、車道の脇に設置されている。また、車道は、車線Ａと、車線Ｂとの２車線である。
【００１８】
ここで、車線Ａには作業現場があるため、この近辺は、パイロン（カラーコーン）により車両の通行が規制されている。したがって、通過車両は、パイロンを避け、車線Ｂを走行しなければならない。
【００１９】
進入車両通報装置１は、パイロンにより車両の通行が規制されているにもかかわらず、車線Ａを走行しようとする進入車両を感知し、進入車両の感知信号を現場作業員等の無線通信機２に送信して、進入車両を通報する。
【００２０】
ここで、無線通信機２は、現場作業員等が携帯する端末であり、進入車両通報装置１（例えば、感知信号出力回路１７）から感知信号が送信されると、振動により進入車両を現場作業員等に通報する。
【００２１】
次に、図２を参照して、進入車両通報装置１の内部構成を説明する。
【００２２】
図２において、進入車両通報装置１は、ＣＰＵ（Central Processing Unit）１１、設定器１２、超音波送信回路１３、送波器１４、超音波受信回路１５、受波器１６、感知信号出力回路１７によって構成されている。
【００２３】
ＣＰＵ１１は、超音波送信回路１３を制御し、送波器１４から超音波を送信する。
【００２４】
また、ＣＰＵ１１は、超音波受信回路１５を制御し、設定器１２により設定された感知距離に応じて反射波を受信する受信ゲートのゲート長を設定する。
【００２５】
また、ＣＰＵ１１は、超音波受信回路１５により受信した反射波が車両による反射波か否かを判別する。
【００２６】
また、ＣＰＵ１１は、超音波を反射した物体が車両であると判別すると、感知信号出力回路１７により感知信号を無線通信機２に出力する。
【００２７】
設定器１２は、進入車両を感知する感知距離を車線幅に応じて設定することができる。
【００２８】
超音波送信回路１３は、予め設定された送信時間（例えば、２ｍｓ）の超音波を送波器１４から送信する。また、送波器１４から送信される超音波の角度は、予め設定されている。
【００２９】
ここで、超音波送信回路１３により送信される超音波は、複数の周波数が組み合わされている。本実施の形態において、超音波送信回路１３により送信される超音波は、２種類の周波数（例えば、２４．５ｋＨｚ，２５．５ｋＨｚ）が交互に組み合わせられた場合を例にする。
【００３０】
また、超音波受信回路１５は、受信ゲート（図示省略）を備え、ＣＰＵ１１により設定されたゲート長で、受波器１６により反射波を受信する。
【００３１】
感知信号出力回路１７は、ＣＰＵ１１からの指示に従って車両を感知した感知信号を無線通信機２に送信する。
【００３２】
次に、図３を参照して、進入車両通報装置１が車両を検出する感知エリアについて説明する。
【００３３】
図３において、進入車両通報装置１は、予め設定されている角度の範囲に超音波を送信し、路面や進入車両等からの反射波を受信する。
【００３４】
反射波は、路面や進入車両等の物体から反射される波であり、反射した物体の位置（距離）に応じて受波器１６により受信される受信時間が異なる。
【００３５】
すなわち、近距離にある物体からの反射波は短時間で受信され、長距離にある物体からの反射波は長時間で受信される。
【００３６】
したがって、ＣＰＵ１１は、上述の受信時間の相違を利用して、設定器１２により設定された感知距離に応じて超音波受信回路１５の受信ゲート（図示省略）のゲート長を設定し、感知エリアを決定する。
【００３７】
したがって、設定器１２により感知距離が設定されると、ＣＰＵ１１により受信ゲートのゲート長が設定され、例えば、図３に示す感知エリア内の進入車両が感知される。
【００３８】
次に動作を説明する。
図４は、超音波送信回路１３により送信される２種類の超音波（ＷＡＶＥ１：２４．５ｋＨｚ，ＷＡＶＥ２：２５．５ｋＨｚ）の送信タイミングを示すタイミングチャートである。
【００３９】
図４において、ＣＰＵ１１は、超音波送信回路１３により、ＷＡＶＥ１（２４．５ｋＨｚ）を予め設定された角度、及び送信時間（例えば、２ｍｓ）で送信する。
【００４０】
次に、ＣＰＵ１１は、送信繰返し周期（例えば、６０ｍｓ）の間に、受波器１６によりＷＡＶＥ１（２４．５ｋＨｚ）に対応する反射波を受信すると、超音波受信回路１５の受信ゲートで受信された反射波が感知閾値以上であるか否かを判別する。
【００４１】
ここで、感知閾値は、路面学習により決定される。すなわち、車両がいない場合に、路面から返ってくる反射波の標準偏差に固定雑音（定数）を足した値を感知閾値とする。
【００４２】
そして、ＣＰＵ１１は、反射波が感知閾値以上である、すなわち、進入車両による反射波であると判別すると、感知信号出力回路１７により感知信号を無線通信機２に送信する。
【００４３】
また、送信繰り返し周期（例えば、６０ｍｓ）後に、ＣＰＵ１１は、ＷＡＶＥ１（２４．５ｋＨｚ）とは異なる送信周波数のＷＡＶＥ２（２５．５ｋＨｚ）を予め設定された角度、及び送信時間（例えば、２ｍｓ）で送信する。
【００４４】
また、ＣＰＵ１１は、送信繰返し周期（例えば、６０ｍｓ）の間に、受波器１６によりＷＡＶＥ２（２５．５ｋＨｚ）に対応する反射波を受信すると、超音波受信回路１５の受信ゲートで受信された反射波が感知閾値以上であるか否かを判別する。
【００４５】
そして、ＣＰＵ１１は、反射波が感知閾値以上である、すなわち、進入車両による反射波であると判別すると、感知信号出力回路１７により感知信号を無線通信機２に送信する。
【００４６】
また、無線通信機２は感知信号を受信すると、振動により進入車両を現場作業員等に通報する。
【００４７】
以上のように、ＣＰＵ１１は、ＷＡＶＥ１、ＷＡＶＥ２のような周波数の異なる超音波を順に送信し、送信した超音波に対応する反射波を受信すると、この反射波が進入車両による反射波か否かを判別し、進入車両による反射波であると判別すると、感知信号出力回路１７により感知信号を無線通信機２に送信する。そして、無線通信機２は、感知信号を受信すると、振動により進入車両を現場作業員等に通報する。
【００４８】
従って、超音波を利用して進入車両を非接触で感知できるため、保守性が向上する。
【００４９】
また、進入車両を感知すると、感知信号を無線通信機に送信し、現場作業員等に進入車両があることを通報できるので、ケーブルを使う必要がなく、便利である。
【００５０】
また、複数の異なる送信周波数を送信することにより、受信された反射波が送信した超音波に対する反射波か否かの判別が容易になるため、誤感知を低減できる。
【００５１】
また、感知距離を設定できるので、異なる車線幅に対応した進入車両の感知が容易にできる。
【００５２】
また、感知信号の通報を振動による通報にしたことにより、感知の通報が騒音等で掻き消されることがなくなるという利点がある。
【００５３】
また、感知すべき位置に進入車両通報装置１を設置するだけで感知エリア（図３参照）の進入車両を無線通信機２に通報することができるので、設置の手間が減り、便利である。
【００５４】
また、上記実施の形態においては、着信を振動により通報することにしたが、ランプなどを用い、一見して報知できるようにしても良い。
【００５５】
【発明の効果】
請求項１記載の発明によれば、超音波を特定の範囲に送信し、送信した超音波に対応する反射波を受信し、受信した反射波に基づいて進入車両の有無を判別することができ、進入車両が有りと判別された際に車両感知信号を無線通信機に送信することができるので、進入車両の有無を容易に判別できる。また、進入車両を非接触で感知できるので、保守性が向上する。また、無線で進入車両の感知信号を通報できるので、ケーブルを使う必要がなく、便利である。
【図面の簡単な説明】
【図１】進入車両通報装置１を工事等の作業現場に設置した例を示す図である。
【図２】進入車両通報装置１の内部構成を示す図である。
【図３】進入車両通報装置１が車両を検出する感知エリアを示す図である。
【図４】超音波送信回路１３により送信される２種類の超音波の送信タイミングを示すタイミングチャートである。
【符号の説明】
１    進入車両通報装置
１２  設定器
１３  超音波送信回路
１４  送波器
１５  超音波受信回路
１６  受波器
１７  感知信号出力回路
２    無線通信機
Ａ，Ｂ    車線
【図１】
0004559607.tif 000002
【図２】
0004559607.tif 000003
【図３】
0004559607.tif 000004
【図４】
0004559607.tif 000005